(57)【要約】【課題】  複数の製品を収容したトレーを、製品を目視できる状態で安定して積み重ねることを可能にすると共に、製品の減少に伴って不要となった際に容易且つスムーズに取り除くことのできるトレー用仕切板を提供する。【解決手段】  薄底矩形形状のトレー１１の中央を縦断して対向する一方の側壁部１５ａと平行に配置される縦仕切板１３と、対向する他方の側壁部１５ｂの内側面に沿って配置される一対の横仕切板１４とからなり、トレー１１の収容凹部１６を区画すると共に、トレー１１の側壁部１５ａ，１５ｂよりも上方に立設して上段のトレー１１からの荷重を支持するトレー用仕切板１０であって、縦仕切板１３の両端から横仕切板１４が平断面Ｔ字形状に張り出して設けられ、縦仕切板１３の中間部位には中空柱部２６が設けられている。【選択図】      図２
2007008491.tif 000002
【特許請求の範囲】
【請求項１】
薄底矩形形状のトレーの中央を縦断して対向する一方の一対の側壁部と平行に配置される縦仕切板と、対向する他方の一対の側壁部の内側面に沿って各々配置される一対の横仕切板とからなり、前記トレーの収容凹部を区画すると共に、前記トレーの側壁部よりも上方に立設して上段のトレーからの荷重を支持するトレー用仕切板であって、
前記縦仕切板と横仕切板とは１枚の矩形形状の板紙を用いて形成され、
該板紙は中央を縦断する中央折曲げ線と、該中央折曲げ線の両端の切込み部と該切込み部の基端部に前記中央折曲げ線と垂直方向に延びる張出部用折曲げ線を備え、
前記縦仕切板は前記中央折曲げ線を介して折り畳んで形成され、
前記横仕切板は前記張出用折曲げ線を介して縦仕切板の両端を折り曲げることにより縦仕切板と垂直をなして平断面Ｔ字形状に張り出して形成され、
且つ、前記縦仕切板における前記中央折曲げ線の中間部分に柱部用切込みを備え、
前記中央折曲げ線を境とする両側の縦仕切板の各々において、
前記柱部用切込みの両端部に前記中央折曲げ線と垂直方向に延びる柱部用折曲げ線を備え、
該柱部用折曲げ線によって挟まれる部分が外側に突出するように該柱部用折曲げ線を谷折りして、前記縦仕切板の中間部分に中空柱部が形成されたトレー用仕切板。
【請求項２】
前記柱部用折曲げ線によって挟まれる部分の中央にこれらと平行に延設する頂部折曲げ線を設け、該頂部折曲げ線を山折りして前記柱部用折曲げ線によって挟まれる部分を３角形の平断面形状となるように各々外側に突出させることにより、前記中空柱部は４角形の平断面形状を備える請求項１記載のトレー用仕切板。
【請求項３】
前記トレーに収容される製品がボトル形状の製品であって、前記中空柱部は、縦横に並べて配置される４体のボトル形状の製品の中央隙間部分に配置される請求項１又は２に記載のトレー用仕切板。
【請求項４】
請求項１〜３のいずれかに記載のトレー用仕切板が取り付けられた収容凹部に各々製品を収容した複数のトレーを縦横に整列配置すると共に、下段のトレー用仕切板によって上段のトレーからの荷重を支持させつつ、前記トレーを複数段に積み重ねて構成される製品の保管及び／又は陳列構造。
【請求項５】
請求項１〜３のいずれかに記載のトレー用仕切板が取り付けられた収容凹部に各々製品を収容した複数のトレーを、パレット上に縦横に整列配置すると共に、下段のトレー用仕切板によって上段のトレーからの荷重を支持させつつ、前記トレーをパレット上に複数段に積み重ねて載置し、最上段のトレー用仕切板によって上段のパレットからの荷重を支持させつつ、前記トレーを載置した前記パレットを複数段に積み重ねて構成される製品の保管及び／又は陳列構造。
【発明の詳細な説明】
【技術分野】
【０００１】
本発明は、トレー用仕切板、及び製品の保管及び／又は陳列構造に関し、特に、トレーに収容した製品を外部から見える状態で複数段に積み重ねて陳列することを可能にするトレー用仕切板、及び該トレー用仕切板を用いた製品の保管及び／又は陳列構造に関する。
【背景技術】
【０００２】
複数の製品を収容して搬送するための梱包用の入れ物として、ダンボール箱が多用されている。ダンボール箱は、６面体形状を有しており、搬送時に縦横に並べて整列配置することが容易であると共に、上下に積み重ねて配置することも容易であり、効率良く集積した状態で多数の製品を搬送することを可能にする。また、ダンボール箱に復数の製品を整えて収容したり、製品同士の衝突を防止することを目的として、ダンボール箱の内部を区画する、例えば縦仕切板と横仕切板とからなる各種の仕切板が開発されている（例えば、特許文献１、特許文献２参照）。
【０００３】
さらに、仕切板を利用して、搬送時のみならず、陳列時にも使用できるようにした陳列台兼用のダンボール箱も開発されている（例えば、特許文献３参照）。特許文献３のダンボール箱は、製品を搬送した後に、切離し線に沿ってダンボール箱の下部のトレー状部分を残してこれの上方部分を切り離すと共に、卍形の平断面形状の仕切板で収容部を仕切って積重ね可能な製品陳列用のトレーとするものである。そして、下方のトレーの仕切板に支持させつつ、上方のトレーを積み重ねるように配置して製品を陳列できるようになっており、上段のトレーの側壁と下段のトレーの側壁との間の間隔部分から、下段のトレーに収容された製品を容易に目視することを可能にし、また各側壁が低くなっていることから、収容された製品を容易に取り出すことが可能である。
【特許文献１】特開平１１−３０１６４６号公報
【特許文献２】特開平１１−３４８９７１号公報
【特許文献３】実開昭４８−３３７２１号公報
【発明の開示】
【発明が解決しようとする課題】
【０００４】
一方、近年の製品陳列形態の多様化から、複数の製品をダンボール箱や薄底矩形形状のトレーに収容したまま、複数段に積み重ねた状態で例えばパレット上に載置して、多数の製品を一度に陳列可能とする方法が好ましく採用される場合がある。しかしながら、このような陳列方法を採用する場合、ダンボール箱をそのまま使用したのでは製品を外部から目視することができないため、収容された製品を一旦取り出した後に、ダンボール箱を陳列可能な形態に作り替えて製品を収容し直したり、別途準備した陳列用のトレーに移し変える等の作業を必要として、多くの手間がかかることになる。
【０００５】
また、複数の製品を薄底のトレーに収容すると共に、これらのトレーを積み重ねて保管したり運搬したりすることにより、運搬後にそのままの積層状態で製品を目視可能に陳列できるようにすることも考えられるが、製品を収容したトレーを安定した状態で複数段に積み重ねることは困難で、保管や運搬に支障を来す恐れがある。またトレーを複数段に積み重ねた状態を安定させるために他の補強部材等を用いると、陳列した際にこれらが邪魔になって、製品を取り出し難くなると共に、不要になった仕切板や空になったトレーをスムーズに取り除くことができなくなる場合がある。
【０００６】
本発明は、複数の製品を収容したトレーを、製品を目視できる状態で安定して積み重ねることを可能にすると共に、製品の減少に伴って不要となった際に、邪魔にならないように容易且つスムーズに取り除くことのできるトレー用仕切板、及び該トレー用仕切板を用いた製品の保管及び／又は陳列構造を提供することを目的とする。
【課題を解決するための手段】
【０００７】
本発明は、薄底矩形形状のトレーの中央を縦断して対向する一方の一対の側壁部と平行に配置される縦仕切板と、対向する他方の一対の側壁部の内側面に沿って各々配置される一対の横仕切板とからなり、前記トレーの収容凹部を区画すると共に、前記トレーの側壁部よりも上方に立設して上段のトレーからの荷重を支持するトレー用仕切板であって、前記縦仕切板と横仕切板とは１枚の矩形形状の板紙を用いて形成され、該板紙は中央を縦断する中央折曲げ線と、該中央折曲げ線の両端の切込み部と該切込み部の基端部に前記中央折曲げ線と垂直方向に延びる張出部用折曲げ線を備え、前記縦仕切板は前記中央折曲げ線を介して折り畳んで形成され、前記横仕切板は前記張出用折曲げ線を介して縦仕切板の両端を折り曲げることにより縦仕切板と垂直をなして平断面Ｔ字形状に張り出して形成され、且つ、前記縦仕切板における前記中央折曲げ線の中間部分に柱部用切込みを備え、前記中央折曲げ線を境とする両側の縦仕切板の各々において、前記柱部用切込みの両端部に前記中央折曲げ線と垂直方向に延びる柱部用折曲げ線を備え、該柱部用折曲げ線によって挟まれる部分が外側に突出するように該柱部用折曲げ線を谷折りして、前記縦仕切板の中間部分に中空柱部が形成されたトレー用仕切板を提供することにより、上記目的を達成したものである。
【０００８】
また、本発明は、上記トレー用仕切板が取り付けられた収容凹部に各々製品を収容した複数のトレーを縦横に整列配置すると共に、下段のトレー用仕切板によって上段のトレーからの荷重を支持させつつ、前記トレーを複数段に積み重ねて構成される製品の保管及び／又は陳列構造を提供することにより、上記目的を達成したものである。
【０００９】
さらに、本発明は、上記トレー用仕切板が取り付けられた収容凹部に各々製品を収容した複数のトレーを、パレット上に縦横に整列配置すると共に、下段のトレー用仕切板によって上段のトレーからの荷重を支持させつつ、前記トレーをパレット上に複数段に積み重ねて載置し、最上段のトレー用仕切板によって上段のパレットからの荷重を支持させつつ、前記トレーを載置した前記パレットを複数段に積み重ねて構成される製品の保管及び／又は陳列構造を提供することにより、上記目
的を達成したものである。
【発明の効果】
【００１０】
本発明のトレー用仕切板、及び該トレー用仕切板を用いた製品の保管及び／又は陳列構造によれば、複数の製品を収容したトレーを、製品を目視できる状態で安定して積み重ねることを可能にすると共に、製品の減少に伴って不要となった際に、当該トレー用仕切板を、邪魔にならないように容易且つスムーズに取り除くことができる。
【発明を実施するための最良の形態】
【００１１】
図１及び図２に示す本発明の好ましい一実施形態に係るトレー用仕切板１０は、４角形の底部１９と仕切板１０の高さよりも低い４方の側壁部１５ａ，１５ｂを備える薄底矩形形状のトレー１１に取り付けて用いられ、トレー１１の収容凹部１６を複数の収容部１６ａに区画すると共に、各収容部１６ａに製品として例えば液体洗剤等を封入した複数（本実施形態では６体）のプラスチック製のボトル容器１２を収容させるものである。また、このように複数のボトル容器１２を収容したトレー１１を、ボトル容器１２を目視可能にしつつ安定した状態で複数段に積み重ねて保管や搬送、並びに陳列を行えるようにし（図５参照）、且つ陳列時には、ボトル容器１２の減少に伴って不要になった当該仕切板１０や空になったトレー１１をスムーズに取り除くことを可能にして、上段のトレー１１から、ボトル容器１２を順次速やかに取り出せるようにするものである。
【００１２】
そして、本実施形態のトレー用仕切板１０は、薄底矩形形状のトレー１１の中央を縦断して対向する一方の一対の側壁部１５ａと平行に配置される縦仕切板１３と、対向する他方の一対の側壁部１５ｂの内側面に沿って各々配置される一対の横仕切板１４とからなり、トレー１１の収容凹部１６を区画すると共に、トレー１１の側壁部１５ａ，１５ｂよりも上方に立設して上段のトレー１１からの荷重を支持するトレー用の仕切板であって、図３（ａ），（ｂ）にも示すように、縦仕切板１３と横仕切板１４とは１枚の矩形形状の板紙２０を用いて形成され、板紙２０は中央を縦断する中央折曲げ線２１と、中央折曲げ線２１の両端の切込み部２２と該切込み部２２の基端部に中央折曲げ線２１と垂直方向に延びる張出部用折曲げ線２３を備える。また縦仕切板１３は中央折曲げ線２１を介して折り畳んで形成され、横仕切板１４は張出用折曲げ線２３を介して縦仕切板１３の両端を折り曲げることにより縦仕切板１３と垂直をなして平断面Ｔ字形状に張り出して形成さる。さらに、縦仕切板１３における中央折曲げ線２１の中間部分に柱部用切込み２９を備え、中央折曲げ線２１を境とする両側の縦仕切板１３の各々において、柱部用切込み２９の両端部に中央折曲げ線２１と垂直方向に延びる柱部用折曲げ線２４を備え、この柱部用折曲げ線２４によって挟まれる部分が外側に突出するように柱部用折曲げ線２４を谷折りして、縦仕切板１３の中間部分に中空柱部２６が形成されるようになっている。
【００１３】
また、本実施形態では、中央折曲げ線２１を境とする両側の縦仕切板１３の各々において、一対の柱部用折曲げ線２４によって挟まれる部分の中央にこれらと平行に延設する頂部折曲げ線２７が設けられており、この頂部折曲げ線２７を山折りして一対の柱部用折曲げ線２４によって挟まれる部分を３角形の平断面形状となるように各々外側に突出させることにより、中空柱部２６は４角形の平断面形状を備えるようになっている。
【００１４】
本実施形態のトレー用仕切板１０を形成するための板紙２０は、図３（ａ）に示すように、所定の位置に折曲げ線２１，２３，２４，２７や切込み２２，２９を設けた実質的に矩形形状（正方形も含む）の１枚のダンボール製の厚紙である。すなわち、矩形形状の板紙１０には、図３（ａ）において上下に配置された対向する一対の辺２０ａと平行に延設して、例えば半切れ線からなる中央折曲げ線２１が中央を縦断して当該板紙２０を２等分割するように設けられている。中央折曲げ線２１を介して板紙２０を折り曲げることにより、切込み２２の入った両端部分を除いたこれらの間の部分によって、図３（ｂ）に示すように、縦仕切板１３が二つ折りに折り重ねた状態で形成されることになる（図１参照）。
【００１５】
中央折曲げ線２１の両端部分に設けられた切込み２２は、所定の長さ部分として、好ましくはトレー１１の他方の対向する側壁部１５ｂの長さの略半分の長を備えるように切り込まれている。切込み２２を設けると共に、切込み２２の基端部分から中央折曲げ線２１と垂直に延設する例えば半切れ線からなる張出部用折曲げ線２３を設けることにより、張出部用折曲げ線２３よりも外側の部分を各々側方に垂直に開くように折り曲げて、縦仕切板１３の両端から両側に張り出した、縦仕切板１３と共に平断面Ｔ字形状を形成する横仕切板１４が形成されることになる。また切込み２２がトレー１１の側壁部１５ｂの略半分の長さで形成されていることにより、縦仕切板１３の端部から各々平断面Ｔ字形状に張り出した横仕切板１４は、側壁部１５ｂの内側面の長さと同様の幅を有することになり、これによって、トレー用仕切板１０をトレー１１に取付ける際に、ぴったりと嵌め込むようにして装着することが可能になると共に、縦仕切板１３や後述する中空柱部２６と一体となって、より安定した状態で上方からの荷重を支持することが可能になる。
【００１６】
本実施形態では、縦仕切板１３における中央折曲げ線２１に設けられた柱部用切込み２９は、その中央が縦仕切板１３を略３等分割する位置において、中央折曲げ線２１に沿って間欠的に且つ対称に配置されて２個所に形成されている。また各柱部用切込み２９の両端部から中央折曲げ線２１と垂直に交差しつつ中央折曲げ線２１の両側に延設して、例えば半切れ線からなる一対の柱部用折曲げ線２４が各々設けられている。さらに、各一対の柱部用折曲げ線２４によって挟まれる帯状部分の中央には、例えば半切れ線からなる頂部折曲げ線２７が柱部用折曲げ線２４と平行に延設して設けられている。柱部用切込み２９が中央折曲げ線２１に沿って形成されると共に、中央折曲げ線２１と垂直な柱部用折曲げ線２４及び頂部折曲げ線２７が形成されることにより、図３（ｂ）に示すように、各柱部用折曲げ線２４に沿って谷折りに折り曲げ、且つ各頂部折曲げ線２７に沿って山折りに折り曲げつつ、二つ折りに折り重ねられた状態の縦仕切板１３を、両端部に連接する横仕切板１４が互いに近づく方向に押し込むことにより、各一対の柱部用折曲げ線２４によって挟まれる帯状部分を、３角形の平断面形状を有する突出部分２５として、縦仕切板１３の両側に各々突出させることが可能になる。そして、縦仕切板１３の両側に突出する３角形の突出部分２５が対向した状態で一体となって、縦仕切板１３の中間部位には、４角形の平断面形状を有する中空柱部２６が２箇所に形成されることになる。
【００１７】
さらに、本実施形態では、一対の柱部用切込み２９によって挟まれる部分の中央折曲げ線２１の中央には、当該中央折曲げ線２１を挟んだ一方の側に食い込むようにしてコの字形状の切り込みを形成することにより、板紙２０を２つ折りにした際に上方に突出する位置め突起片２８が設けられている。位置め突起片２８が設けられていることにより、後述するように複数のボトル容器１２を収容したトレー１１を複数段に積み重ねる際に、位置め突起片２８が上段のトレー１１の底部１９に形成された積重ね係止孔４０（図１参照）に係止されることによって、下段のトレー１１に対する上段のトレー１１の位置決めを容易に行うことが可能になる。また下段のトレー１１に対する上段のトレー１１の位置ずれが効果的に回避されて、さらに安定した状態でトレー１１を積み重ねることが可能になる。
【００１８】
本実施形態では、トレー用仕切板１０が取り付けられるトレー１１もまた、図４（ａ）〜（ｃ）に示すように、所定の位置に折り曲げ線や切り込み線を設けた実質矩形形状の一枚のトレー用ダンボール板３０を用いて形成される。すなわち、トレー用ダンボール板３０は、例えば長辺２００〜１０００ｍｍ、短辺１００〜９００ｍｍの大きさの矩形形状の底部１９と、底部１９の各長辺部分に長辺折り曲げ線３１を介して連接する長辺フラップ片３２と、底部１９の各短辺部分に短辺折り曲げ線３３を介して連接する短辺フラップ片３４と、短辺フラップ片３４の両端縁部に端部折り曲げ線３５を介して連接する挟み込みフラップ片３６とからなり、全体として略矩形形状に形成されている。
【００１９】
また、底部１９には、各長辺折り曲げ線３１に沿った位置に差込みスリット３７が各々２箇所に形成されていると共に、中央部分に積重ね係止孔４０が形成されている。差込みスリット３７には、長辺フラップ片３２を折り返し線３９に沿って内側下方に折り返した際に、長辺フラップ片３２の先端縁部に突出形成した差込み片３８が差し込まれて、トレー１１の立体形状が保持される。また積重ね係止孔４０には、トレー１１を下段のトレー用仕切板１０に支持させて載置した際に、トレー用仕切板１０の縦仕切板１３の中央から上方に突出する位置め突起２８が挿入係止される。
【００２０】
長辺折り曲げ線３１及び短辺折り曲げ線３３を介して長辺フラップ片３２及び短辺フラップ片３４を各々折り曲げることにより、これらを底部１９に対して垂直に立設させると共に（図４（ｂ）参照）、端部折り曲げ線３５を介して挟み込みフラップ片３６を短辺フラップ片３４に対して垂直に折り曲げ、しかる後に挟み込みフラップ片３６を挟み込むようにしつつ、長辺フラップ片３２を折り返し線３９に沿って内側下方に折り返して（図４（ｃ）参照）、差込み片３８を差込みスリット３７に差し込むことにより、例えば２０〜２００ｍｍの深さを有する、４方に側壁部１５ａ，１５ｂが設けられた平面矩形形状のトレー１１が、容易且つ効率良く形成されることになる。
【００２１】
本実施形態のトレー用仕切板１０を用いて、各ボトル容器１２を目視可能な状態で、複数のボトル容器１２が収容されたトレー１１を積み重ねるには、図２に示すように、中空柱部２６を２箇所に備える縦仕切板１３と、縦仕切板１３の両端部にＴ字形状に張り出して設けられた一対の横仕切板１４とからなるトレー用仕切板１０をトレー１１に取り付ける。また、トレー１１の収容凹部１６の中央を縦仕切板１３によって仕切ると共に、縦仕切板１３によって仕切られた収容凹部１６の両側を、２箇所の中空柱部２６によって各々３箇所に区画割りすることにより、複数（本実施形態では６箇所）の収容部１６ａを形成する。さらに、縦横に並べて配置される各４体のボトル容器１７の中央隙間部分にトレー用仕切板１０の中空柱部２６が配置されるようにしつつ、各収容部１６ａにボトル容器１２を各々装填して、トレー１１に複数のボトル容器１２を収容してなる陳列兼用のトレー梱包体５０を形成する。
【００２２】
そして、形成したトレー梱包体５０を、図５に示すように、例えばパレット５１上に縦横に整列配置すると共に、下段のトレー梱包体５０のトレー用仕切板１０によって上段のトレー梱包体５０のトレー１１からの荷重を支持させつつ、トレー梱包体５０を好ましくは例えば３〜５段程度の複数段に積み重ねてボトル容器１２の保管及び／又は陳列構造を形成し、多数のボトル容器１２の保管、運搬、陳列等に供される。
【００２３】
ここで、トレー用仕切板１０の縦仕切板１３及び横仕切板１４は、トレー１１の側壁部１５ａ，１５ｂよりも例えば３０〜１５０ｍｍ程度高く立設しており、積み重ねられたトレー梱包体５０における上段のトレー１１の一方の側壁部１５ａと下段のトレー１１の一方の側壁部１５ａとの間に相当の間隔を保持して、保管時や運搬時においても、各段のトレー梱包体５０に収容されたボトル容器１２を、外部から容易に目視可能な状態とする。またこれによって、運搬後にボトル容器１２を移し変えたり取り出したりすることなく、そのままの積層状態で陳列に供することが可能になる。
【００２４】
また、本実施形態によれば、トレー用仕切板１０の縦仕切板１３には、その中間部位に４角形のの平断面形状の中空柱部２６が設けられると共に、縦仕切板１３の両端部にＴ字形状に張り出して横仕切板１４が各々連接しており、且つ横仕切板１４は、トレー１１の他方の対向する側壁部１５ｂの内側面に沿って配置されるので、これらが一体となって、大きな支持面積で広い領域に亘ってバランス良く上段のトレー１１からの荷重を支持することが可能になる。これによって、他の補強部材等を別途用いることなく、簡易な構成で、トレー梱包体５０を複数段に積み重ねた状態を、強固且つ安定して保持することが可能になる。
【００２５】
さらに、本実施形態によれば、トレー用仕切板１０は、例えば横仕切板１４と共に縦仕切板１３を一体として上方に引き抜くだけの簡単な作業によって、トレー１１から容易に取り除くことができるので、陳列後に上段のトレー梱包体５０から順次取り出されてボトル容器１２が減少してゆくのに伴って、不要となったトレー用仕切板１０やトレー１１を容易且つスムーズに取り除いてゆくことが可能になる。
【００２６】
したがって、本実施形態のトレー用仕切板１０を用いることにより、複数のボトル容器１２を収容したトレー１１を、ボトル容器１２を目視できる状態で安定して積み重ねることを可能にすると共に、ボトル容器１２の減少に伴って不要となった際に、トレー用仕切板１０が邪魔にならないように容易且つスムーズに取り除いてゆくことが可能になる。
【００２７】
また、本実施形態によれば、トレー用仕切板１０の縦仕切板１３には、その中間部位に４角形のの平断面形状の中空柱部２６が設けられると共に、縦仕切板１３の両端部にＴ字形状に張り出して横仕切板１４が各々連接しており、且つ横仕切板１４は、トレー１１の他方の対向する側壁部１５ｂの内側面に沿って配置されることにより、上方からの荷重を強固に支持することが可能なので、図６に示すように、トレー１１に複数のボトル容器１２を収容してなる陳列兼用のトレー梱包体５０を、パレット５１上に縦横に整列配置すると共に、下段のトレー用仕切板１０によって上段のトレー１１からの荷重を支持させつつ、トレー梱包体５０をパレット上に複数段に積み重ねて載置し、最上段のトレー用仕切板１０によって上段のパレット５１からの荷重を支持させつつ、トレー梱包体５０を載置したパレット５１を複数段に積み重ねてボトル容器１２の保管及び／又は陳列構造を形成することもできる。これによって、ボトル容器１２を目視できる状態にしたまま、さらに多数のボトル容器１２を同時に保管することが可能になり、運搬、陳列等の効率化をさらに効果的に図ることが可能になる。
【００２８】
なお、本発明は上記実施形態に限定されることなく種々の変更が可能である。例えば、トレーに収容される製品は、ボトル容器である必要は必ずしも無く、その他の各種の製品を目視可能な状態で複数段に収容するべく本発明を採用することができる。また、トレーは、ダンボール製のものである必要は必ずしも無く、合成樹脂製や金属製のものであっても良い。さらに、中空柱部は、４角形の平断面形状を備えている必要は必ずしもなく、円形や６角形等その他の平断面形状を備えるように形成することもできる。さらにまた、一対の柱部用折曲げ線によって挟まれる部分の中央に頂部折曲げ線を設ける必要は必ずしも無く、中空柱部は、縦仕切板に１箇所又は３箇所以上設けることもできる。また、例えば横仕切板の先端に、当該横仕切板に対して垂直に折り曲げられて連接する補強片を設けておき、この補強片をトレーの角部分における一方の側壁部の内側面に沿って配置することにより、上方からの荷重の支持力をさらに向上させることもできる。
【図面の簡単な説明】
【００２９】
【図１】本発明の好ましい一実施形態に係るトレー用仕切板をトレーに取り付ける状態を説明する分解斜視図である。
【図２】本発明の好ましい一実施形態に係るトレー用仕切板を用いてトレーに製品を収容したトレー梱包体の斜視図である。
【図３】（ａ）はトレー用仕切板を形成するための板紙の平面図、（ｂ）は板紙を折り曲げてトレー用仕切板を形成する作業工程を説明する斜視図である。
【図４】（ａ）〜（ｃ）は、一枚のダンボール板からトレーを形成する作業工程を説明する斜視図である。
【図５】トレーを複数段に積み重ねて構成される製品の保管及び／又は陳列構造を例示する斜視図である。
【図６】トレーを複数段に積み重ねて構成される製品の保管及び／又は陳列構造の他の形態を例示する略示斜視図である。
【符号の説明】
【００３０】
１０  トレー用仕切板
１１  トレー
１２  ボトル容器（ボトル形状の製品）
１３  縦仕切板
１４  横仕切板
１５ａ，１５ｂ  トレーの側壁部
１６  トレーの収容凹部
１９  トレーの底部
２０  板紙
２１  中央折曲げ線
２２  切込み
２３  張出部用折曲げ線
２４  柱部用折曲げ線
２５  突出部分
２６  中空柱部
２７  頂部折曲げ線
２８  位置め突起片
２９  柱部用切込み
３０  トレー用ダンボール板
４０  積重ね係止孔
５０  トレー梱包体
５１  パレット
【図１】
2007008491.tif 000003
【図２】
2007008491.tif 000004
【図３】
2007008491.tif 000005
【図４】
2007008491.tif 000006
【図５】
2007008491.tif 000007
【図６】
2007008491.tif 000008